(57)【要約】【課題】既存の折り畳み座卓を活用しつつ、容易かつ安定的に高さを上げることの可能な、折り畳み座卓用台座を提供する。【解決手段】天板３と天板３の裏面に取り付けられた折り畳み可能な脚とを有する折り畳み座卓２００を載置する折り畳み座卓用台座１００であって、長手方向の両端に配置される垂直部材１０ａ，１０ｂ，２０ａ，２０ｂと、垂直部材１０ａ，１０ｂ，２０ａ，２０ｂの上部を連結する２本の水平部材３０ａ，３０ｂとを有し、２本の水平部材３０ａ，３０ｂにより折り畳み座卓２００の天板３の長手方向の両辺に沿った裏面を支持するとともに、２本の水平部材３０ａ，３０ｂの間に天板３の裏面に配置された脚を含む構成部材を収容するようにした。【選択図】図７
2015096181.tif 000002
【特許請求の範囲】
【請求項１】
天板と前記天板の裏面に取り付けられた折り畳み可能な脚とを有する折り畳み座卓を載置する折り畳み座卓用台座であって、
長手方向の両端に配置される垂直部材と、前記垂直部材の上部を連結する２本の水平部材とを有し、
前記２本の水平部材により前記折り畳み座卓の天板の長手方向の両辺に沿った裏面を支持するとともに、前記２本の水平部材の間に前記天板の裏面に配置された前記脚を含む構成部材を収容するようにしたことを特徴とする折り畳み座卓用台座。
【請求項２】
前記垂直部材の高さが調整可能であることを特徴とする請求項１に記載の折り畳み座卓用台座。
【発明の詳細な説明】
【技術分野】
【０００１】
本発明は、折り畳み座卓を載置して高さを調整するための折り畳み座卓用の台座に関するものである。
【背景技術】
【０００２】
従来、集会所等では、収納時に脚を折り畳むようにした折り畳み座卓が使用されている。図１１乃至図１４に、従来の折り畳み座卓２００を示す。図１１乃至図１４はそれぞれ、折り畳み座卓２００を示す斜視図、底面図、正面図及び平面図である。なお、図１２及び図１３は、折り畳み座卓２００の脚を折り畳んだ状態を示すものである。
【０００３】
折り畳み座卓２００は主として、天板３と、天板３の裏面に取り付けられた折り畳み可能な４本の脚１ａ，１ｂ，２ａ，２ｂとから構成されている。天板３は、長方形状の板材であり、長手方向の両辺に沿った裏面には、図１２に示すように、両側に若干の縁部９，９を残して、２本の支持部材４，４が取り付けられている。そして、４本の脚１ａ，１ｂ，２ａ，２ｂが、支持部材４，４の両端に回動可能に取り付けられている。脚１ａ，１ｂ，２ａ，２ｂは、使用時には垂直方向に開かれ、収納時には水平方向に折り畳まれる。
【０００４】
脚１ａ，１ｂと支持部材４，４との間には、スライド部材５，５が取り付けられており、脚１ａ，１ｂの開閉に伴いスライド部材５，５がスライドするとともに、使用時には固定部材として機能するようになっている。また、脚１ａ，１ｂの間には連結部材６，７が、スライド部材５，５の間には連結部材８が、それぞれ取り付けられており、脚１ａ，１ｂ及びスライド部材５，５の動きを同期しながら補強するようになっている。脚２ａ，２ｂについても同様である。
【０００５】
折り畳み座卓２００の高さは、一般的に３０ｃｍ程度であり、床面にそのまま座ることを前提とした高さになっている。
【０００６】
一方、テーブルの高さを調整するものとして、特許文献１には、ラックとピニオンを用いて脚柱５を昇降させるようにした高さ調整式テーブルに関する発明が記載されている。また、特許文献２には、伸縮脚部１３を取り付けたテーブルに関する発明が記載されている。また、特許文献３には、会議用テーブルの脚を上方から挿入するようにしたテーブル脚延長用器具に関する発明が記載されている。
【先行技術文献】
【特許文献】
【０００７】
【特許文献１】特開２００２−３４５５６４号公報
【特許文献２】実用新案登録第３０５０９３２号公報
【特許文献３】特開２０１１−８３３３７号公報
【発明の概要】
【発明が解決しようとする課題】
【０００８】
集会所等を利用する人の中には、足の不自由なお年寄り等、床面にそのまま座ることが困難な方々がある。また、生活の洋風化に伴い、正座や胡坐に慣れない人も多い。そのため、「正座椅子」と呼ばれる低めの椅子を用いて、尻を若干浮かせながら座る場合がある。しかしながら、従来の折り畳み座卓２００は、床面にそのまま座ることを前提とした高さになっているため、「正座椅子」を用いて尻を若干浮かせながら座ると、座卓が低すぎて特に食事等の場合に使用しにくくなってしまう。これを解決するために、折り畳み座卓２００を何かに載せて高くしようとしても、天板３の裏面には、脚１，２等が突出して取り付けられているため、安定して載置することが難しい。
【０００９】
一方、特許文献１及び特許文献２に記載された発明の場合、新たに高さ調整用のテーブルを調達する必要があり、既に集会所等に配備されている折り畳み座卓を活用することができない。また、特許文献３に記載された発明の場合、テーブルの脚それぞれに延長用器具を挿入するものであって、高さ調整作業が煩雑である。
【００１０】
本発明は、上記従来の課題を解決するものであり、既存の折り畳み座卓を活用しつつ、容易かつ安定的に高さを上げることの可能な、折り畳み座卓用台座を提供するものである。
【課題を解決するための手段】
【００１１】
上記課題を解決するため、本発明の折り畳み座卓用台座は、天板と前記天板の裏面に取り付けられた折り畳み可能な脚とを有する折り畳み座卓を載置する折り畳み座卓用台座であって、長手方向の両端に配置される垂直部材と、前記垂直部材の上部を連結する２本の水平部材とを有し、前記２本の水平部材により前記折り畳み座卓の天板の長手方向の両辺に沿った裏面を支持するとともに、前記２本の水平部材の間に前記天板の裏面に配置された前記脚を含む構成部材を収容するようにしたことを特徴とする。
【００１２】
また好ましくは、前記垂直部材の高さが調整可能であることを特徴とする。
【発明の効果】
【００１３】
本発明の折り畳み座卓用台座は、長手方向の両端に配置される垂直部材と、垂直部材の上部を連結する２本の水平部材とを有している。そして、２本の水平部材により折り畳み座卓の天板の長手方向の両辺に沿った裏面を支持するようにしたので、折り畳み座卓を水平部材の上に載置して、折り畳み座卓の天板の高さを垂直部材の高さまで容易に上げることができる。従って、既存の折り畳み座卓を活用できるとともに、正座椅子等を用いて尻を若干浮かせながら座っても使用しやすい。
【００１４】
また、２本の水平部材の間に天板の裏面に配置された脚を含む構成部材を収容するようにしたので、水平部材の上に載置されても、天板の裏面に配置された脚を含む構成部材が邪魔にならず、折り畳み座卓を安定的に保持することができる。
【００１５】
また、垂直部材の高さを調整可能とすることにより、使用状況に合わせて、より使用しやすいように高さの調整を行うことができる。
【００１６】
以上、本発明によれば、既存の折り畳み座卓を活用しつつ、容易かつ安定的に高さを上げることの可能な、折り畳み座卓用台座を提供することできる。
【図面の簡単な説明】
【００１７】
【図１】本発明の実施形態に係る折り畳み座卓用台座を示す斜視図である。
【図２】折り畳み座卓用台座を示す正面図である。
【図３】折り畳み座卓用台座を示す平面図である。
【図４】折り畳み座卓用台座を示す側面図である。
【図５】折り畳み座卓用台座の収納構造を説明する平面図である。
【図６】折り畳み座卓用台座の収納構造を説明する側面図である。
【図７】折り畳み座卓用台座に折り畳み座卓を載置した状態を示す斜視図である。
【図８】折り畳み座卓用台座に折り畳み座卓を載置した状態を示す正面図である。
【図９】折り畳み座卓用台座に折り畳み座卓を載置した状態を示す平面図である。
【図１０】折り畳み座卓用台座に折り畳み座卓を載置した状態を示す側面図である。
【図１１】折り畳み座卓を示す斜視図である。
【図１２】折り畳み座卓を示す底面図である。
【図１３】折り畳み座卓を示す正面図である。
【図１４】折り畳み座卓を示す平面図である。
【発明を実施するための形態】
【００１８】
次に、図１乃至図６を参照して、本発明の実施形態に係る折り畳み座卓用台座について説明する。図１乃至図４はそれぞれ、本実施形態に係る折り畳み座卓用台座１００を示す斜視図、正面図、平面図及び側面図である。また、図５及び図６はそれぞれ、折り畳み座卓用台座１００の収納構造を説明する平面図及び側面図である。
【００１９】
図１乃至図４に示すように、折り畳み座卓用台座１００は、主として、４本の垂直部材１０ａ，１０ｂ，２０ａ，２０ｂと水平部材３０ａ，３０ｂとから構成されている。４本の垂直部材１０ａ，１０ｂ，２０ａ，２０ｂは、長手方向の両端に配置されている。より詳細には、４本のうちの２本の垂直部材１０ａ，１０ｂが長手方向の一方の端部に配置され、残りの２本の垂直部材２０ａ，２０ｂが他方の端部に配置されている。
【００２０】
一方の２本の垂直部材１０ａ，１０ｂは、上下方向の３本の連結部材１１，１２，１３によって連結され補強されている。同様に、他方の２本の垂直部材２０ａ，２０ｂは、上下方向の３本の連結部材２１，２２，２３によって連結され補強されている。なお、最上部の連結部材１３，２３は、垂直部材１０，２０の上端部よりも下の位置にあり、垂直部材１０，２０の上部（部材１０ａ，１０ｂの間、部材２０ａ，２０ｂの間）には、上方に開口する隙間空間１４，２４が設けられている。
【００２１】
水平部材３０ａ，３０ｂは長尺の棒状部材であって、４本の垂直部材１０ａ，１０ｂ，２０ａ，２０ｂの上部を連結している。より詳細には、一方の水平部材３０ａが２本の垂直部材１０ａ，２０ａの上部を連結するように取り付けられており、他方の水平部材３０ｂが２本の垂直部材１０ｂ，２０ｂの上部を連結するように取り付けられている。水平部材３０ａ，３０ｂの上面の高さは、垂直部材１０ａ，１０ｂ，２０ａ，２０ｂの上面の高さと同一になっている。
【００２２】
垂直部材１０，２０と水平部材３０との取付構造は特に限定されないが、軸部材等を用いて回動可能に連結して、折り畳み収納可能な構成とすることが好ましい。また、水平部材３０ａ，３０ｂのそれぞれの中間部に蝶番等を用いて折曲部３１，３１を設けることが好ましい。図５及び図６は、このように構成した場合の、折り畳み座卓用台座１００の収納構造を説明する平面図及び側面図である。
【００２３】
図５に示すように、折り畳み座卓用台座１００を収納する際には、まず垂直部材１０，２０と水平部材３０との連結部を回動させて、両端部の垂直部材１０，２０を内側に折り畳む。次に、水平部材３０ａ，３０ｂの中間部に設けた折曲部３１，３１により、水平部材３０ａ，３０ｂを折り畳む。そうすると、図６に示すように、折り畳み座卓用台座１００を折り畳んで、コンパクトに収納することができる。垂直部材１０，２０と水平部材３０との取付構造を回動可能とした場合には、使用時及び収納時のそれぞれの状態で両者を固定する固定機構（ネジ留め機構等）を別途設けるとよい。
【００２４】
なお、図１乃至図６では、垂直部材１０，２０が２本の水平部材３０ａ，３０ｂの内側に配置されるようになっているが、反対に垂直部材１０，２０が２本の水平部材３０ａ，３０ｂの外側に配置されるようにしてもよい。
【００２５】
折り畳み座卓用台座１００の大きさは、載置する折り畳み座卓の大きさに合わせて決定される。長さと幅を折り畳み座卓とほぼ同一にするとともに、高さを折り畳み座卓よりも高くする。載置する折り畳み座卓の種類にもよるが、一般的な折り畳み座卓を基準にすると、長さ１８０ｃｍ、幅４０〜５０ｃｍ、高さ５０〜６０ｃｍ程度の大きさとなる。
【００２６】
また、垂直部材１０ａ，１０ｂ，２０ａ，２０ｂの高さを調整可能としてもよい。高さ調整の構造は、例えば２つの筒状部材をスライド可能に接続して固定する等の公知の伸縮構造により実現可能である。垂直部材１０ａ，１０ｂ，２０ａ，２０ｂの高さを調整可能とすれば、使用状況に合わせて調整を行うことができる
【００２７】
折り畳み座卓用台座１００の材質は、特に限定されず、木製、金属製、樹脂製等、様々な材料を使用することができる。
【００２８】
次に、図７乃至図１０を参照して、本実施形態に係る折り畳み座卓用台座１００の使用方法について説明する。図７乃至図１０はそれぞれ、本実施形態に係る折り畳み座卓用台座１００に折り畳み座卓を載置した状態を示す斜視図、正面図、平面図及び側面図である。なお、載置する折り畳み座卓は、図１１乃至図１４に示す、折り畳み座卓２００である。
【００２９】
載置する折り畳み座卓２００は、４本の脚１ａ，１ｂ，２ａ，２ｂが折り畳まれて、図１２及び図１３に示す状態になっている。そして、脚１ａ，１ｂ，２ａ，２ｂを下側にした水平状態のままで、折り畳み座卓用台座１００の上に載置される。
【００３０】
このとき、２本の水平部材３０ａ，３０ｂの上面には、折り畳み座卓２００の天板３の長手方向の両辺に沿った裏面（図１２に示す縁部９，９）が当接しており、水平部材３０ａ，３０ｂで下から支持することにより、折り畳み座卓１００を載置するようになっている。また、図９に示すように、天板３の幅は水平部材３０ａ，３０ｂの間隔とほぼ同一となっており、天板３の長さは水平部材３０ａ，３０ｂよりも若干短くなっている。
【００３１】
また、このとき、折り畳み座卓２００の天板３の裏面に配置された脚を含む構成部材（脚１０ａ，１０ｂ，２０ａ，２０ｂ、支持部材４、スライド部材５、連結部材６，７，８）は、２本の水平部材３０ａ，３０ｂの間に収容される。図８は、折り畳み座卓２００を載置した様子を示す正面図であり、水平部材３０ａ，３０ｂの間に収容された脚１ａ，２ａが、水平部材３０ａの下方に覗いている。同様に図１０は、折り畳み座卓２００を載置した様子を示す側面図であり、水平部材３０ａ，３０ｂの間に収容されたスライド部材５及び連結部材８が、垂直部材１０ａ，１０ｂの間に覗いている。
【００３２】
なお、本実施形態では、垂直部材１０，２０の上部（部材１０ａ，１０ｂの間、部材２０ａ，２０ｂの間）には、上方に開口する隙間空間１４，２４が設けられている。従って、天板３の長さが長すぎて、天板３の裏面に配置された脚を含む構成部材（脚１０ａ，１０ｂ，２０ａ，２０ｂ、支持部材４、スライド部材５、連結部材６，７，８）が長手方向にはみ出すような場合であっても、この隙間空間１４，２４に収納することができるようになっている。
【００３３】
また、本実施形態では、折り畳み座卓２００を折り畳んだ状態で折り畳み座卓用台座１００の上に載置したが、折り畳み座卓２００の脚を伸ばした状態で載置するようにしてもよい。その場合には、脚を伸ばした状態で、天板３の裏面に配置された脚を含む構成部材（脚１０ａ，１０ｂ，２０ａ，２０ｂ、支持部材４、スライド部材５、連結部材６，７，８）が水平部材３０ａ，３０ｂの間に収容されるように、垂直部材や水平部材の形状等を調整する。
【００３４】
本実施形態に係る折り畳み座卓用台座１００は、長手方向の両端に配置される垂直部材１０ａ，１０ｂ，２０ａ，２０ｂと、垂直部材１０ａ，１０ｂ，２０ａ，２０ｂの上部を連結する２本の水平部材３０ａ，３０ｂとを有している。そして、２本の水平部材３０ａ，３０ｂにより折り畳み座卓２００の天板３の長手方向の両辺に沿った裏面を支持するようにしたので、折り畳み座卓２００を水平部材３０ａ，３０ｂの上に載置して、折り畳み座卓２００の天板３の高さを垂直部材１０ａ，１０ｂ，２０ａ，２０ｂの高さまで容易に上げることができる。従って、既存の折り畳み座卓２００を活用できるとともに、正座椅子等を用いて尻を若干浮かせながら座っても使用しやすい。
【００３５】
また、２本の水平部材３０ａ，３０ｂの間に天板３の裏面に配置された脚を含む構成部材（脚１０ａ，１０ｂ，２０ａ，２０ｂ、支持部材４、スライド部材５、連結部材６，７，８）を収容するようにしたので、水平部材３０ａ，３０ｂの上に載置されても、天板３の裏面に配置された脚を含む構成部材（脚１０ａ，１０ｂ，２０ａ，２０ｂ、支持部材４、スライド部材５、連結部材６，７，８）が邪魔にならず、安定的に保持することができる。
【００３６】
また、垂直部材１０ａ，１０ｂ，２０ａ，２０ｂの高さを調整可能とすることにより、使用状況に合わせて、より使用しやすいように高さの調整を行うことができる。
【００３７】
以上、本実施形態に係る折り畳み座卓用台座１００によれば、既存の折り畳み座卓２００を活用しつつ、容易かつ安定的に高さを上げることができる。
【００３８】
以上、本発明の実施形態に係る折り畳み座卓用台座について説明したが、本発明は上述した実施の形態に限定されるわけではなく、以下に例示するように、その他種々の変更が可能である。
【００３９】
本実施形態では、垂直部材を４本の部材１０ａ，１０ｂ，２０ａ，２０ｂにより構成したが、部材１０ａ，１０ｂの替わりに１枚の板状部材を、部材２０ａ，２０ｂの替わりに１枚の板状部材を使用し、それぞれの板状部材の両端部を水平部材３０ａ，３０ｂにより連結するようにしてもよい。
【００４０】
また、垂直部材１０ａ，１０ｂの間隔及び垂直部材２０ａ，２０ｂの間隔を調整可能としてもよい。間隔調整の構造は、連結部材１１，１２，１３，２１，２２，２３のそれぞれを、２つの筒状部材をスライド可能に接続して固定する等の公知の伸縮構造にすることにより実現可能である。垂直部材１０ａ，１０ｂの間隔及び垂直部材２０ａ，２０ｂの間隔を調整可能とすれば、載置する折り畳み座卓の幅に合わせて台座の大きさを調整することができる。
【００４１】
また、水平部材３０ａ，３０ｂの長さを調整可能としてもよい。長さ調整の構造は、水平部材３０ａ，３０ｂのそれぞれを、２つの筒状部材をスライド可能に接続して固定する等の公知の伸縮構造にすることにより実現可能である。水平部材３０ａ，３０ｂの長さを調整可能とすれば、載置する折り畳み座卓の長さに合わせて台座の大きさを調整することができる。
【符号の説明】
【００４２】
１  脚
２  脚
３  天板
４  支持部材
５  スライド部材
６  連結部材
７  連結部材
８  連結部材
９  縁部
１０  垂直部材
１１  連結部材
１２  連結部材
１３  連結部材
１４  隙間空間
２０  垂直部材
２１  連結部材
２２  連結部材
２３  連結部材
２４  隙間空間
３０  水平部材
３１  折曲部
１００  折り畳み座卓用台座
２００  折り畳み座卓
【図１】
2015096181.tif 000003
【図２】
2015096181.tif 000004
【図３】
2015096181.tif 000005
【図４】
2015096181.tif 000006
【図５】
2015096181.tif 000007
【図６】
2015096181.tif 000008
【図７】
2015096181.tif 000009
【図８】
2015096181.tif 000010
【図９】
2015096181.tif 000011
【図１０】
2015096181.tif 000012
【図１１】
2015096181.tif 000013
【図１２】
2015096181.tif 000014
【図１３】
2015096181.tif 000015
【図１４】
2015096181.tif 000016